【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
（ａ）コンピュータ（１０）に塗料の色の識別基準を入力する工程と、
（ｂ）第１のデータベースの検索を開始して、前記識別基準に適合する１つまたは複数の色特性を識別する工程と、
（ｃ）前記第１のデータベースから前記色特性を入手する工程と、
（ｄ）前記色特性を色参照チップに変換する工程と、
（ｅ）前記コンピュータ（１０）のスクリーン上に前記色参照チップを表示する工程と、
（ｆ）前記色参照チップから所望の色参照チップを選択する工程と、
（ｇ）第２のデータベースから、前記所望の色参照チップに適合する１つまたは複数の色配合を入手する工程と、
（ｈ）前記スクリーン上に前記色配合を表示する工程と、
（ｉ）前記色配合から所望の色配合を選択する工程と
を備えることを特徴とする色選択方法。
【請求項２】
（ａ）クライアントコンピュータ（１０Ａ）に塗料の色の識別基準を入力する工程と、
（ｂ）前記クライアントコンピュータ（１０Ａ）に格納された第１のデータベースの検索を開始して、識別基準に適合する１つまたは複数の色特性を識別する工程と、
（ｃ）前記第１のデータベースから前記色特性に入手する工程と、
（ｄ）前記色特性を色参照チップに変換する工程と、
（ｅ）前記クライアントコンピュータ（１０Ａ）のスクリーン上に前記色参照チップを表示する工程と、
（ｆ）前記スクリーン上に表示される前記色参照チップから所望の色参照チップを選択する工程と、
（ｇ）前記所望の色参照チップに関するチップ識別データを前記ホストコンピュータ（１６）に送信する工程と、
（ｈ）前記ホストコンピュータ（１６）から、前記ホストコンピュータ（１６）における第２のデータベースに格納された色配合であって、前記所望の色参照チップに適合する１つまたは複数の色配合を受信する工程と、
（ｉ）前記クライアントコンピュータ（１０Ａ）のスクリーン上に前記色配合を表示する工程と、
（ｊ）前記色配合から所望の色配合を選択する工程と
を備えることを特徴とする色選択方法。
【請求項３】
（ａ）ホストコンピュータ（１６）と通信状態にあるクライアントコンピュータ（１０Ａ）から塗料の色の識別基準を受信する工程と、
（ｂ）前記色の前記識別基準に適合する色特性から前記ホストコンピュータ（１６）によって変換される１つまたは複数の色参照チップを前記クライアントコンピュータ（１０Ａ）に送信する工程と、
（ｃ）前記色参照チップから前記クライアントコンピュータ（１０Ａ）によって選択される前記所望の色参照チップに関するチップ識別データを前記クライアントコンピュータ（１０Ａ）から受信する工程と、
（ｄ）前記所望の色参照チップに適合する１つまたは複数の色配合を前記クライアントコンピュータ（１０Ａ）に送信して、前記色配合から所望の色配合を選択することができるようにする工程と
を備えることを特徴とする色選択方法。
【請求項４】
コンピュータプログラム製品であって、
（ａ）コンピュータ（１０）によって所望の色配合を選択させるために、その中に組込まれるコンピュータ読出し可能なプログラムコード手段を有するコンピュータ使用可能な記憶媒体（１１）を備え、前記コンピュータ読出し可能なプログラムコードは、
（ｂ）前記コンピュータ（１０）が、塗料の色の識別基準を前記コンピュータ（１０）の中に入力するように構成されたコンピュータ読出し可能なプログラムコードと、
（ｃ）前記コンピュータ（１０）が、当該コンピュータ（１０）に格納された第１のデータベースの検索を開始して、前記識別基準に適合する１つまたは複数の色特性を識別するように構成されたコンピュータ読出し可能なプログラムコードと、
（ｄ）前記コンピュータ（１０）が、前記第１のデータベースから前記色特性を入手するように構成されたコンピュータ読出し可能なプログラムコードと、
（ｅ）前記コンピュータ（１０）が、前記色特性を色参照チップに変換するように構成されたコンピュータ読出し可能なプログラムコードと、
（ｆ）前記コンピュータ（１０）が、当該コンピュータ（１０）のスクリーン上に前記色参照チップを表示するように構成されたコンピュータ読出し可能なプログラムコードと、
（ｇ）前記コンピュータ（１０）が、前記色参照チップから所望の色参照チップを選択するように構成されたコンピュータ読出し可能なプログラムコードと、
（ｈ）前記コンピュータ（１０）が、前記コンピュータ（１０）における第２のデータベースに格納された色配合であって、前記所望の色参照チップに適合する１つまたは複数の色配合を入手するように構成されたコンピュータ読出し可能なプログラムコードと、
（ｉ）前記コンピュータ（１０）が、前記スクリーン上に前記色配合を表示するように構成されたコンピュータ読出し可能なプログラムコードと
を備えることを特徴とするコンピュータプログラム製品。
【請求項５】
コンピュータプログラム製品であって、
（ａ）ホストコンピュータ（１６）と通信するクライアントコンピュータ（１０Ａ）によって所望の色配合を選択させるために、その中に組込まれるコンピュータ読出し可能なプログラムコード手段を有するクライアントコンピュータ使用可能な記憶媒体（１１Ａ）を備え、前記クライアントコンピュータ読出し可能なプログラムコードは、
（ｂ）前記クライアントコンピュータ（１０Ａ）が、塗料の色の識別基準を前記クライアントコンピュータ（１０Ａ）に入力するように構成されたコンピュータ読出し可能なプログラムコードと、
（ｃ）前記クライアントコンピュータ（１０Ａ）が、当該クライアントコンピュータ（１０Ａ）に格納された第１のデータベースの検索を開始して、前記識別基準に適合する１つまたは複数の色特性を識別するように構成されたコンピュータ読出し可能なプログラムコードと、
（ｄ）前記クライアントコンピュータ（１０Ａ）が、前記第１のデータベースから前記色特性を入手するように構成されたコンピュータ読出し可能なプログラムコードと、
（ｅ）前記クライアントコンピュータ（１０Ａ）が、前記色特性を色参照チップに変換するように構成されたコンピュータ読出し可能なプログラムコードと、
（ｆ）前記クライアントコンピュータ（１０Ａ）が、前記クライアントコンピュータ（１０Ａ）のスクリーン上に前記色参照チップを表示するように構成されたコンピュータ読出し可能なプログラムコードと、
（ｇ）前記クライアントコンピュータ（１０Ａ）が、前記クライアントコンピュータ（１０Ａ）から前記ホストコンピュータ（１６）に、前記スクリーン上に表示された前記色参照チップから選択された所望の色参照チップに関する識別データを送信するように構成されたコンピュータ読出し可能なプログラムコードと、
（ｈ）前記クライアントコンピュータ（１０Ａ）が、前記ホストコンピュータ（１６）における第２のデータベースに格納された色配合であって、前記ホストコンピュータ（１６）から前記所望の色参照チップに適合する１つまたは複数の色配合を受信するように構成されたコンピュータ読出し可能なプログラムコードと、
（ｉ）前記クライアントコンピュータ（１０Ａ）が、前記クライアントコンピュータ（１０Ａ）のスクリーン上に前記色配合を表示し、前記色配合から前記所望の色配合を選択することができるように構成されたコンピュータ読出し可能なプログラムコードと
を備えることを特徴とするコンピュータプログラム製品。
【請求項６】
ホストコンピュータプログラム製品であって、
（ａ）前記ホストコンピュータ（１６）と通信するクライアントコンピュータ（１０Ａ）によって所望の色配合を選択させるために、その中に組込まれるコンピュータ読出し可能なプログラムコード手段を有するホストコンピュータ使用可能な記憶媒体（１６Ａ）を備え、前記ホストコンピュータ読出し可能なプログラムコードは、
（ｂ）前記ホストコンピュータ（１６）が、前記クライアントコンピュータ（１０Ａ）から塗料の色の識別基準を受信するように構成されたコンピュータ読出し可能なプログラムコードと、
（ｃ）前記ホストコンピュータ（１６）が、前記クライアントコンピュータ（１０Ａ）に前記色の前記識別基準に適合する色特性から前記ホストコンピュータ（１６）によって変換される１つまたは複数の色参照チップを送信するように構成されたンピュータ読出し可能なプログラムコードと、
（ｄ）前記ホストコンピュータ（１６）が、前記色参照チップから前記クライアントコンピュータ（１０Ａ）によって選択される前記所望の色参照チップに関するチップ識別データを、前記クライアントコンピュータ（１０Ａ）から受信するように構成されたコンピュータ読出し可能なプログラムコードと、
（ｅ）前記ホストコンピュータ（１６）が、前記所望の色参照チップに適合する１つまたは複数の色配合を前記クライアントコンピュータ（１０Ａ）に送信し、前記色配合から所望の色配合を選択することができるように構成されたコンピュータ読出し可能なプログラムコードと
を備えることを特徴とするホストコンピュータプログラム製品。
【請求項７】
（ａ）塗料の色の識別基準をコンピュータ（１０Ａ）に入力する工程と、
（ｂ）前記コンピュータ（１０Ａ）に格納された第１のデータベースの検索を開始して、前記識別基準に適合する１つまたは複数の色特性を識別する工程と、
（ｃ）前記第１のデータベースから前記色特性を入手する工程と、
（ｄ）前記色特性を色参照チップに変換する工程と、
（ｅ）前記コンピュータ（１０Ａ）のスクリーン上に前記色参照チップを表示する工程と、
（ｆ）前記色参照チップから所望の色参照チップを選択する工程と、
（ｇ）前記コンピュータ（１０Ａ）に格納された第２のデータベースから、前記所望の色参照チップに適合する１つまたは複数の色配合を入手する工程と、
（ｈ）前記スクリーン上に前記色配合を表示する工程と、
（ｉ）前記色配合から所望の色配合を選択する工程と、
（ｊ）前記所望の色配合に列挙される成分を混合して前記塗料を形成する工程と
を備えることを特徴とする塗料を製造する方法。
【手続補正２】
【補正対象書類名】明細書
【補正対象項目名】０００６
【補正方法】変更
【補正の内容】
【０００６】
本発明はさらに、
（ａ）クライアントコンピュータ（１０Ａ）に塗料の色の識別基準を入力する工程と、
（ｂ）前記クライアントコンピュータ（１０Ａ）に格納された第１のデータベースの検索を開始して、識別基準に適合する１つまたは複数の色特性を識別する工程と、
（ｃ）前記第１のデータベースから前記色特性に入手する工程と、
（ｄ）前記色特性を色参照チップに変換する工程と、
（ｅ）前記クライアントコンピュータ（１０Ａ）のスクリーン上に前記色参照チップを表示する工程と、
（ｆ）前記スクリーン上に表示される前記色参照チップから所望の色参照チップを選択する工程と、
（ｇ）前記所望の色参照チップに関するチップ識別データを前記ホストコンピュータ（１６）に送信する工程と、
（ｈ）前記ホストコンピュータ（１６）から、前記ホストコンピュータ（１６）における第２のデータベースに格納された色配合であって、前記所望の色参照チップに適合する１つまたは複数の色配合を受信する工程と、
（ｉ）前記クライアントコンピュータ（１０Ａ）のスクリーン上に前記色配合を表示する工程と、
（ｊ）前記色配合から所望の色配合を選択する工程と
を備える色選択方法に関する。
【手続補正３】
【補正対象書類名】明細書
【補正対象項目名】０００７
【補正方法】変更
【補正の内容】
【０００７】
本発明はさらに、
（ａ）ホストコンピュータ（１６）と通信状態にあるクライアントコンピュータ（１０Ａ）から塗料の色の識別基準を受信する工程と、
（ｂ）前記色の前記識別基準に適合する色特性から前記ホストコンピュータ（１６）によって変換される１つまたは複数の色参照チップを前記クライアントコンピュータ（１０Ａ）に送信する工程と、
（ｃ）前記色参照チップから前記クライアントコンピュータ（１０Ａ）によって選択される前記所望の色参照チップに関するチップ識別データを前記クライアントコンピュータ（１０Ａ）から受信する工程と、
（ｄ）前記所望の色参照チップに適合する１つまたは複数の色配合を前記クライアントコンピュータ（１０Ａ）に送信して、前記色配合から所望の色配合を選択することができるようにする工程と
を備える色選択方法に関する。
【手続補正４】
【補正対象書類名】明細書
【補正対象項目名】００２２
【補正方法】変更
【補正の内容】
【００２２】
色は、電磁スペクトルの可視領域にわたる各波長で反射される光の割合を測定する分光光度計を用いて長い間、測定されてきた。一般に、これらの読出しは、４００ｎｍ〜７００ｎｍにわたって１０ｎｍ間隔で行われる。波長の関数としての反射率のグラフは、「スペクトル曲線」と呼ばれる。スペクトル曲線を見ると、曲線の山によって表される色の色相を決定することができ、たとえば、青色のスペクトル曲線は青色波長に山がある。明るい色はスペクトルにわたって反射する光が多く、暗めの色は反射する光が少ない。彩度の高い色は、相当鋭い山を有し、他の波長ではあまり光を反射しない。彩度の低い色は、山と谷との間の差が小さい曲線を有する。灰色はきわめて平坦な傾向にある。したがって、スペクトル曲線から色の定性的な評価を行うことができる。しかし、人間の観察者が見るとき、色は、色のスペクトル曲線のほかに、色が見られる光源のスペクトル特性および観察者のスペクトル感度にも左右される。人間の目は、色覚用の３つのセンサ、すなわち青色センサ、緑色センサおよび赤色センサを有する。１９３１年には、国際照明委員会（ＣＩＥ）が、色、光源および観察者のスペクトル特性を考慮して、３次元のＸ、Ｙ、Ｚ空間における色のマッピングを標準化した。しかし、その三刺激値Ｘ、Ｙ、Ｚから色を視覚化することは依然として困難である。また、これらの値は、色の視覚的に均一な３次元のマッピングを提供するわけではない。
【手続補正５】
【補正対象書類名】明細書
【補正対象項目名】００３８
【補正方法】変更
【補正の内容】
【００３８】
必要に応じて、任意の工程４４によって、印刷可能なシート上に所望の色配合を印刷するために、プリンタ１４を用いることができ、所望の色配合に基づいて塗料を調合する技術者に供給することができる。必要に応じて、識別基準、所望の色参照チップおよび必要に応じて所望の色配合などの塗料の関連情報を含む識別ラベルもまた、得られた塗料がその後の使用に備えて保存される容器のために、作成されてもよい。
【手続補正６】
【補正対象書類名】明細書
【補正対象項目名】００６１
【補正方法】変更
【補正の内容】
【００６１】
本発明はまた、図３Ａおよび図３Ｂに示される工程を利用することによって、コンピュータ１０によって所望の色配合を選択させるために、その中に組込まれるコンピュータ読出し可能なプログラムコード手段を有するコンピュータ使用可能な記憶媒体１１に関する。コンピュータ読出し可能なプログラムコードは、
（ａ）工程２２において、コンピュータ１０が、塗料の色の識別基準をコンピュータ１０の中に入力するように構成された、コンピュータ読出し可能なプログラムコードと、
（ｂ）工程２４において、コンピュータ１０が、コンピュータ１０に格納された第１のデータベースの検索を開始し、識別基準に適合する１つまたは複数の色特性を識別するように構成された、コンピュータ読出し可能なプログラムコードと、
（ｃ）工程２６において、コンピュータ１０が、第１のデータベースから色特性を入手するように構成された、コンピュータ読出し可能なプログラムコードと、
（ｄ）工程２８において、コンピュータ１０が、色特性を色参照チップに変換するように構成された、コンピュータ読出し可能なプログラムコードと、
（ｅ）工程３０において、コンピュータ１０が、コンピュータ１０のスクリーン上に色参照チップを表示するように構成された、コンピュータ読出し可能なプログラムコードと、
（ｆ）工程３２において、コンピュータ１０が、色参照チップから所望の色参照チップを選択するように構成された、コンピュータ読出し可能なプログラムコードと、
（ｇ）工程３４において、コンピュータ１０が、コンピュータ１０の第２のデータベースに格納された色配合であって、所望の色参照チップに適合する１つまたは複数の色配合を入手するように構成された、コンピュータ読出し可能なプログラムコードと、
（ｈ）工程３６において、コンピュータ１０が、スクリーン上に色配合を表示させるように構成する、コンピュータ読出し可能なプログラムコードと、を備える。
【手続補正７】
【補正対象書類名】明細書
【補正対象項目名】００６３
【補正方法】変更
【補正の内容】
【００６３】
本発明はまた、図８Ａおよび図８Ｂに示される工程を利用することによって、ホストコンピュータ１６と通信するクライアントコンピュータ１０Ａによって所望の色配合を選択させるために、その中に組込まれるコンピュータ読出し可能なプログラムコード手段を有するクライアントコンピュータ使用可能な記憶媒体１１Ａを備えるコンピュータプログラム製品に関する。クライアントコンピュータ読出し可能なプログラムコードは、
（ａ）工程５０において、クライアントコンピュータ１０Ａが、塗料の色の識別基準をクライアントコンピュータ１０Ａの中に入力するように構成された、コンピュータ読出し可能なプログラムコードと、
（ｂ）工程５２において、クライアントコンピュータ１０Ａが、クライアントコンピュータ１０Ａに格納された第１のデータベースの検索を開始し、識別基準に適合する１つまたは複数の色特性を識別するように構成された、コンピュータ読出し可能なプログラムコードと、
（ｃ）工程５４において、クライアントコンピュータ１０Ａが、第１のデータベースから色特性を入手するように構成された、コンピュータ読出し可能なプログラムコードと、
（ｄ）工程５６において、クライアントコンピュータ１０Ａが、色特性を色参照チップに変換するように構成された、コンピュータ読出し可能なプログラムコードと、
（ｅ）工程５８において、クライアントコンピュータ１０Ａが、クライアントコンピュータ１０Ａのスクリーン上に色参照チップを表示するように構成された、コンピュータ読出し可能なプログラムコードと、
（ｆ）工程６０において、クライアントコンピュータ１０Ａが、クライアントコンピュータ１０Ａからホストコンピュータ１６に、スクリーン上に表示された色参照チップから選択された所望の色参照チップに関する識別データを送信するように構成された、コンピュータ読出し可能なプログラムコードと、
（ｇ）工程６２において、クライアントコンピュータ１０Ａが、ホストコンピュータ１６の第２のデータベースに格納された色配合であって、ホストコンピュータ１６から所望の色参照チップに適合する１つまたは複数の色配合を受信するように構成された、コンピュータ読出し可能なプログラムコードと、
（ｈ）工程６４において、クライアントコンピュータ１０Ａが、クライアントコンピュータ１０Ａのスクリーン上に色配合を表示し、色配合から所望の色配合を選択することができるように構成された、コンピュータ読出し可能なプログラムコードと、を備える。
【手続補正８】
【補正対象書類名】明細書
【補正対象項目名】００６７
【補正方法】変更
【補正の内容】
【００６７】
本発明はまた、
（ａ）塗料の色の識別基準をコンピュータ１０Ａに入力する工程と、
（ｂ）コンピュータ１０Ａに格納された第１のデータベースの検索を開始して、識別基準に適合する１つまたは複数の色特性を識別する工程と、
（ｃ）第１のデータベースから色特性を入手する工程と、
（ｄ）色特性を色参照チップに変換する工程と、
（ｅ）コンピュータ１０Ａのスクリーン上に色参照チップを表示する工程と、
（ｆ）色参照チップから所望の色参照チップを選択する工程と、
（ｇ）コンピュータ１０Ａに格納された第２のデータベースから、所望の色参照チップに適合する１つまたは複数の色配合を入手する工程と、
（ｈ）スクリーン上に色配合を表示する工程と、
（ｉ）色配合から所望の色配合を選択する工程と、
（ｊ）所望の色配合に列挙される成分を混合して、塗料を形成する工程と、を備える塗料の製造方法に関する。
以下に、本発明の実施態様を示す。
１．（ａ）コンピュータ（１０）に塗料の色の識別基準を入力する工程と、
（ｂ）第１のデータベースの検索を開始して、前記識別基準に適合する１つまたは複数の色特性を識別する工程と、
（ｃ）前記第１のデータベースから前記色特性を入手する工程と、
（ｄ）前記色特性を色参照チップに変換する工程と、
（ｅ）前記コンピュータ（１０）のスクリーン上に前記色参照チップを表示する工程と、
（ｆ）前記色参照チップから所望の色参照チップを選択する工程と、
（ｇ）第２のデータベースから、前記所望の色参照チップに適合する１つまたは複数の色配合を入手する工程と、
（ｈ）前記スクリーン上に前記色配合を表示する工程と、
（ｉ）前記色配合から所望の色配合を選択する工程と
を備えることを特徴とする色選択方法。
２．その後の使用に備えて、前記コンピュータ（１０）に前記所望の色配合、前記所望の色参照チップ、前記識別基準、またはその組合せを格納する工程をさらに備えることを特徴とする上記１に記載の方法。
３．前記スクリーン上に前記識別基準を表示する工程をさらに備えることを特徴とする上記１に記載の方法。
４．前記スクリーン上に前記識別基準および前記色配合を表示する工程をさらに備えることを特徴とする上記１に記載の方法。
５．プリンタ（１４）において印刷可能なシートに前記スクリーンの画像を印刷する工程をさらに含むことを特徴とする上記１、３または４に記載の方法。
６．前記印刷可能なシートは、写真複写用紙、高光沢写真品質用紙または高光沢プラスチックフィルムであることを特徴とする上記５に記載の方法。
７．前記印刷可能なシートは、各前記色参照チップが印刷される前記印刷可能なシートの領域内に位置決めされる比較ウィンドウを備えることを特徴とする上記６に記載の方法。
８．前記塗料の識別ラベルを印刷する工程をさらに備えることを特徴とする上記１に記載の方法。
９．前記識別基準が、製造会社名、型式、モデル、製造年、色名、塗料コード、相互参照情報、用途、車体番号、または乗り物またはその色の分光光度データのうちの１つまたは複数を備えることを特徴とする上記１に記載の方法。
１０．前記所望の色配合は、調合器または計量器に送信されることを特徴とする上記１に記載の方法。
１１．前記色特性は、前記色のスペクトルデータを含むことを特徴とする上記１に記載の方法。
１２．前記変換工程は、前記色のＬ、ａ、ｂデータを入手する工程と、前記色の前記Ｌ、ａ、ｂデータをＲＧＢデータに変換するする工程と、前記ＲＧＢデータを前記色参照チップにフォーマットする工程とを備えることを特徴とする上記１１に記載の方法。
１３．前記コンピュータは、ホストコンピュータ（１６）と通信するクライアントコンピュータ（１０Ａ）であることを特徴とする上記１に記載の方法。
１４．前記第１のデータベースと前記第２のデータベースがそれぞれ前記クライアントコンピュータ（１０Ａ）と前記ホストコンピュータ（１６）に常駐するか、前記第１のデータベースおよび前記第２のデータベースが前記ホストコンピュータ（１６）に常駐するか、または前記第１のデータベースおよび前記第２のデータベースが前記クライアントコンピュータ（１０Ａ）に常駐するかであることを特徴とする上記１３に記載の方法。
１５．（ａ）クライアントコンピュータ（１０Ａ）に塗料の色の識別基準を入力する工程と、
（ｂ）前記クライアントコンピュータ（１０Ａ）に格納された第１のデータベースの検索を開始して、識別基準に適合する１つまたは複数の色特性を識別する工程と、
（ｃ）前記第１のデータベースから前記色特性に入手する工程と、
（ｄ）前記色特性を色参照チップに変換する工程と、
（ｅ）前記クライアントコンピュータ（１０Ａ）のスクリーン上に前記色参照チップを表示する工程と、
（ｆ）前記スクリーン上に表示される前記色参照チップから所望の色参照チップを選択する工程と、
（ｇ）前記所望の色参照チップに関するチップ識別データを前記ホストコンピュータ（１６）に送信する工程と、
（ｈ）前記ホストコンピュータ（１６）から、前記ホストコンピュータ（１６）における第２のデータベースに格納された色配合であって、前記所望の色参照チップに適合する１つまたは複数の色配合を受信する工程と、
（ｉ）前記クライアントコンピュータ（１０Ａ）のスクリーン上に前記色配合を表示する工程と、
（ｊ）前記色配合から所望の色配合を選択する工程と
を備えることを特徴とする色選択方法。
１６．（ａ）ホストコンピュータ（１６）と通信状態にあるクライアントコンピュータ（１０Ａ）から塗料の色の識別基準を受信する工程と、
（ｂ）前記色の前記識別基準に適合する色特性から前記ホストコンピュータ（１６）によって変換される１つまたは複数の色参照チップを前記クライアントコンピュータ（１０Ａ）に送信する工程と、
（ｃ）前記色参照チップから前記クライアントコンピュータ（１０Ａ）によって選択される前記所望の色参照チップに関するチップ識別データを前記クライアントコンピュータ（１０Ａ）から受信する工程と、
（ｄ）前記所望の色参照チップに適合する１つまたは複数の色配合を前記クライアントコンピュータ（１０Ａ）に送信して、前記色配合から所望の色配合を選択することができるようにする工程と
を備えることを特徴とする色選択方法。
１７．コンピュータプログラム製品であって、
（ａ）コンピュータ（１０）によって所望の色配合を選択させるために、その中に組込まれるコンピュータ読出し可能なプログラムコード手段を有するコンピュータ使用可能な記憶媒体（１１）を備え、前記コンピュータ読出し可能なプログラムコードは、
（ｂ）前記コンピュータ（１０）が、塗料の色の識別基準を前記コンピュータ（１０）の中に入力するように構成されたコンピュータ読出し可能なプログラムコードと、
（ｃ）前記コンピュータ（１０）が、当該コンピュータ（１０）に格納された第１のデータベースの検索を開始して、前記識別基準に適合する１つまたは複数の色特性を識別するように構成されたコンピュータ読出し可能なプログラムコードと、
（ｄ）前記コンピュータ（１０）が、前記第１のデータベースから前記色特性を入手するように構成されたコンピュータ読出し可能なプログラムコードと、
（ｅ）前記コンピュータ（１０）が、前記色特性を色参照チップに変換するように構成されたコンピュータ読出し可能なプログラムコードと、
（ｆ）前記コンピュータ（１０）が、当該コンピュータ（１０）のスクリーン上に前記色参照チップを表示するように構成されたコンピュータ読出し可能なプログラムコードと、
（ｇ）前記コンピュータ（１０）が、前記色参照チップから所望の色参照チップを選択するように構成されたコンピュータ読出し可能なプログラムコードと、
（ｈ）前記コンピュータ（１０）が、前記コンピュータ（１０）における第２のデータベースに格納された色配合であって、前記所望の色参照チップに適合する１つまたは複数の色配合を入手するように構成されたコンピュータ読出し可能なプログラムコードと、
（ｉ）前記コンピュータ（１０）が、前記スクリーン上に前記色配合を表示するように構成されたコンピュータ読出し可能なプログラムコードと
を備えることを特徴とするコンピュータプログラム製品。
１８．コンピュータプログラム製品であって、
（ａ）ホストコンピュータ（１６）と通信するクライアントコンピュータ（１０Ａ）によって所望の色配合を選択させるために、その中に組込まれるコンピュータ読出し可能なプログラムコード手段を有するクライアントコンピュータ使用可能な記憶媒体（１１Ａ）を備え、前記クライアントコンピュータ読出し可能なプログラムコードは、
（ｂ）前記クライアントコンピュータ（１０Ａ）が、塗料の色の識別基準を前記クライアントコンピュータ（１０Ａ）に入力するように構成されたコンピュータ読出し可能なプログラムコードと、
（ｃ）前記クライアントコンピュータ（１０Ａ）が、当該クライアントコンピュータ（１０Ａ）に格納された第１のデータベースの検索を開始して、前記識別基準に適合する１つまたは複数の色特性を識別するように構成されたコンピュータ読出し可能なプログラムコードと、
（ｄ）前記クライアントコンピュータ（１０Ａ）が、前記第１のデータベースから前記色特性を入手するように構成されたコンピュータ読出し可能なプログラムコードと、
（ｅ）前記クライアントコンピュータ（１０Ａ）が、前記色特性を色参照チップに変換するように構成されたコンピュータ読出し可能なプログラムコードと、
（ｆ）前記クライアントコンピュータ（１０Ａ）が、前記クライアントコンピュータ（１０Ａ）のスクリーン上に前記色参照チップを表示するように構成されたコンピュータ読出し可能なプログラムコードと、
（ｇ）前記クライアントコンピュータ（１０Ａ）が、前記クライアントコンピュータ（１０Ａ）から前記ホストコンピュータ（１６）に、前記スクリーン上に表示された前記色参照チップから選択された所望の色参照チップに関する識別データを送信するように構成されたコンピュータ読出し可能なプログラムコードと、
（ｈ）前記クライアントコンピュータ（１０Ａ）が、前記ホストコンピュータ（１６）における第２のデータベースに格納された色配合であって、前記ホストコンピュータ（１６）から前記所望の色参照チップに適合する１つまたは複数の色配合を受信するように構成されたコンピュータ読出し可能なプログラムコードと、
（ｉ）前記クライアントコンピュータ（１０Ａ）が、前記クライアントコンピュータ（１０Ａ）のスクリーン上に前記色配合を表示し、前記色配合から前記所望の色配合を選択することができるように構成されたコンピュータ読出し可能なプログラムコードと
を備えることを特徴とするコンピュータプログラム製品。
１９．前記クライアントコンピュータ読出し可能なプログラムコードは、さらに、前記クライアントコンピュータ（１０Ａ）が、印刷可能なシート上に前記表示されたスクリーンの画像、前記色配合からの前記所望の色配合、またはその両方をプリンタ（１４Ａ）に印刷させるように構成されたコンピュータ読出し可能なプログラムコードを備えることを特徴とする上記１８に記載のクライアントコンピュータプログラム製品。
２０．ホストコンピュータプログラム製品であって、
（ａ）前記ホストコンピュータ（１６）と通信するクライアントコンピュータ（１０Ａ）によって所望の色配合を選択させるために、その中に組込まれるコンピュータ読出し可能なプログラムコード手段を有するホストコンピュータ使用可能な記憶媒体（１６Ａ）を備え、前記ホストコンピュータ読出し可能なプログラムコードは、
（ｂ）前記ホストコンピュータ（１６）が、前記クライアントコンピュータ（１０Ａ）から塗料の色の識別基準を受信するように構成されたコンピュータ読出し可能なプログラムコードと、
（ｃ）前記ホストコンピュータ（１６）が、前記クライアントコンピュータ（１０Ａ）に前記色の前記識別基準に適合する色特性から前記ホストコンピュータ（１６）によって変換される１つまたは複数の色参照チップを送信するように構成されたンピュータ読出し可能なプログラムコードと、
（ｄ）前記ホストコンピュータ（１６）が、前記色参照チップから前記クライアントコンピュータ（１０Ａ）によって選択される前記所望の色参照チップに関するチップ識別データを、前記クライアントコンピュータ（１０Ａ）から受信するように構成されたコンピュータ読出し可能なプログラムコードと、
（ｅ）前記ホストコンピュータ（１６）が、前記所望の色参照チップに適合する１つまたは複数の色配合を前記クライアントコンピュータ（１０Ａ）に送信し、前記色配合から所望の色配合を選択することができるように構成されたコンピュータ読出し可能なプログラムコードと
を備えることを特徴とするホストコンピュータプログラム製品。
２１．（ａ）塗料の色の識別基準をコンピュータ（１０Ａ）に入力する工程と、
（ｂ）前記コンピュータ（１０Ａ）に格納された第１のデータベースの検索を開始して、前記識別基準に適合する１つまたは複数の色特性を識別する工程と、
（ｃ）前記第１のデータベースから前記色特性を入手する工程と、
（ｄ）前記色特性を色参照チップに変換する工程と、
（ｅ）前記コンピュータ（１０Ａ）のスクリーン上に前記色参照チップを表示する工程と、
（ｆ）前記色参照チップから所望の色参照チップを選択する工程と、
（ｇ）前記コンピュータ（１０Ａ）に格納された第２のデータベースから、前記所望の色参照チップに適合する１つまたは複数の色配合を入手する工程と、
（ｈ）前記スクリーン上に前記色配合を表示する工程と、
（ｉ）前記色配合から所望の色配合を選択する工程と、
（ｊ）前記所望の色配合に列挙される成分を混合して前記塗料を形成する工程と
を備えることを特徴とする塗料を製造する方法。